(57)【要約】【課題】  重液とシュレッダーダストから発生する裁断細線類との混合物から裁断細線類を分離する、あるいは水とシュレッダーダストとの混合物から繊維屑及び土砂を水と共に分離することが可能なシュレッダーダストの処理方法及びその装置を提供する。【解決手段】  重液とシュレッダーダストから発生する裁断細線類との混合物を、先部が下向きに縮幅している複数のウェッジワイヤが横向きに小間隔で平行配置され、かつ縦断面が下側に連続又は段階的に湾曲している湾曲型傾斜ウェッジワイヤスクリーン１２上に投入して、混合物中の重液を湾曲型傾斜ウェッジワイヤスクリーン１２の下方に通過させ、混合物中の裁断細線類は重液と重力で加速して湾曲型傾斜ウェッジワイヤスクリーン１２の表面を通過させて、裁断細線類を分離する。【選択図】        図１
2006205041.tif 000002
【特許請求の範囲】
【請求項１】
重液とシュレッダーダストから発生する裁断細線類との混合物を、先部が下向きに縮幅している複数のウェッジワイヤが横向きに小間隔で平行配置され、かつ縦断面が下側に連続又は段階的に湾曲している湾曲型傾斜ウェッジワイヤスクリーン上に投入して、前記混合物中の前記重液を前記湾曲型傾斜ウェッジワイヤスクリーンの下方に通過させ、前記混合物中の前記裁断細線類は前記重液と重力で加速して前記湾曲型傾斜ウェッジワイヤスクリーンの表面を通過させて、前記裁断細線類を分離することを特徴とするシュレッダーダストの処理方法。
【請求項２】
請求項１記載のシュレッダーダストの処理方法において、前記ウェッジワイヤの間隔は、１〜３ｍｍであり、前記湾曲型傾斜ウェッジワイヤスクリーンの上端部傾斜角度が７０〜８５度、下端部傾斜角度が４０〜５５度の範囲にあることを特徴とするシュレッダーダストの処理方法。
【請求項３】
比重が１を超える重液とシュレッダーダストから発生する裁断細線類との混合物から該裁断細線類と前記重液を分離するシュレッダーダストの処理装置であって、
前記混合物の貯留部と、
前記貯留部から徐々に供給される前記混合物を受け、先部が下向きに縮幅しているウェッジワイヤからなる複数の横線が小間隔で縦断面が下側に連続又は段階的に湾曲した状態で平行に並べられ、かつ、下流側の前記ウェッジワイヤの上平坦面の傾斜角度の正接が前記裁断細線類と前記ウェッジワイヤの上平坦面との濡れ摩擦係数より大きくなっている湾曲型傾斜ウェッジワイヤスクリーンと、
前記湾曲型傾斜ウェッジワイヤスクリーンを通って落下する重液を収容する重液受け容器と、
前記湾曲型傾斜ウェッジワイヤスクリーンの下流側端から排出される前記裁断細線類を収容する裁断細線受け容器とを有することを特徴とするシュレッダーダストの処理装置。
【請求項４】
請求項３記載のシュレッダーダストの処理装置において、隣り合う前記横線の間隔は１〜３ｍｍの範囲にあることを特徴とするシュレッダーダストの処理装置。
【請求項５】
水とシュレッダーダストとの混合物を、先部が下向きに縮幅している複数のウェッジワイヤが縦向きに小間隔で平行配置された傾斜ウェッジワイヤスクリーン上に投入して、前記シュレッダーダストに付着している繊維屑及び土砂を水洗して、前記ウェッジワイヤの隙間から下方に落下させ、水洗された前記シュレッダーダストを前記傾斜ウェッジワイヤスクリーンの下流側端から落下させて、前記シュレッダーダストから付着している前記繊維屑及び土砂を分離することを特徴とするシュレッダーダストの処理方法。
【請求項６】
注水された大量の水とシュレッダーダストとの混合物から該シュレッダーダストより発生する繊維屑及び土砂を水と共に分離するシュレッダーダストの処理装置であって、
先部が下向きに縮幅している複数の長尺のウェッジワイヤが縦向きに小間隔で平行配置された傾斜ウェッジワイヤスクリーンと、
前記傾斜ウェッジワイヤスクリーンの底部に配置され該傾斜ウェッジワイヤスクリーンを通って水と共に落下する前記繊維屑及び土砂を収容する受け入れ容器と、
前記傾斜ウェッジワイヤスクリーンの下流側にあって水洗された前記シュレッダーダストを収納するシュレッダーダスト容器とを有することを特徴とするシュレッダーダストの処理装置。
【請求項７】
請求項６記載のシュレッダーダストの処理装置において、前記ウェッジワイヤの隙間は１〜３ｍｍ、前記傾斜ウェッジワイヤスクリーンの傾斜角は４０〜７０度、前記傾斜ウェッジワイヤスクリーンの長さは２．５〜４ｍの範囲にあることを特徴とするシュレッダーダストの処理装置。
【発明の詳細な説明】
【技術分野】
【０００１】
本発明は、比重が１を超える重液とシュレッダーダストから発生する裁断細線類との混合物から裁断細線類を分離する、あるいは水とシュレッダーダストとの混合物からシュレッダーダストに付着している繊維屑及び土砂を分離するシュレッダーダストの処理方法及びその装置に関する。
【背景技術】
【０００２】
従来、自動車を破砕して生じるシュレッダーダストは、篩分けで土砂及びガラスが除かれ、次いで、磁力選別機により鉄が回収されてから水選別機に供給されて水より軽い軽量シュレッダーダストと水より重い重量シュレッダーダストとに分離されていた。そして、重量シュレッダーダストには、銅、アルミニウム、及び亜鉛等の非鉄金属とステンレスを含む金属類と、プラスチックやゴムを主体とする非金属類が混在しているので、重液材、例えばマグネタイト等の磁性粉体を分散させて比重値を調整した重液が貯留された重液選別装置に重量シュレッダーダストを投入し、重液中で浮遊するプラスチック、ゴム、及びアルミニウムを主体とする混合シュレッダーダストと、重液中で沈降する金属類とに選別し、それぞれ重液と共に回収していた（例えば、特許文献１参照）。そして、回収した混合シュレッダーダスト及び金属類からそれぞれ重液を分離回収し、混合シュレッダーダスト及び金属類に付着している重液も水洗して水と共に回収していた。
【０００３】
【特許文献１】特開平６−１４２５４６号公報
【発明の開示】
【発明が解決しようとする課題】
【０００４】
ここで、特許文献１に記載された発明では、金属類と共に回収した重液で金属類に付着している重液は水洗されて一旦タンクに貯留されてからポンプにより重液材回収機、例えば、磁選機に圧送されて磁性粉体が回収され、回収した磁性粉体は水と混合されて再び重液となって重液選別装置に戻されていた。しかしながら、自動車のシュレッダーダストの中には、ハーネス線が裁断された際に発生する被覆が除去された裁断細線類が混入しており、この裁断細線類の一部は水洗中に洗い流されて重液と共に回収される。このため、回収された重液（水で希釈された重液）を貯留するタンクの底部やタンクから重液を圧送するポンプの中に裁断細線類が徐々に溜まって出口を閉塞させ、タンクからの重液の圧送が停止するという問題が発生していた。このため、タンクやポンプの保守管理負担が増加すると共に、重液選別装置の稼働率も低下するという問題が生じていた。
一方、水選別機から水と共に回収した軽量シュレッダーダストは、例えば振動篩を用いて水を分離していたが、軽量シュレッダーダストに付着している繊維屑が振動篩の網目に絡み付いて水の透過を遮り、水切り効率が低下すると共に、振動篩の洗浄を頻繁に行わねばならないという問題も生じていた。
【０００５】
本発明はかかる事情に鑑みてなされたもので、比重が１を超える重液とシュレッダーダストから発生する裁断細線類との混合物から裁断細線類を分離する、あるいは水とシュレッダーダストとの混合物からシュレッダーダストに付着している繊維屑及び土砂を分離することが可能なシュレッダーダストの処理方法及びその装置を提供することを目的とする。
【課題を解決するための手段】
【０００６】
前記目的に係る請求項１記載のシュレッダーダストの処理方法は、重液とシュレッダーダストから発生する裁断細線類との混合物を、先部が下向きに縮幅している複数のウェッジワイヤが横向きに小間隔で平行配置され、かつ縦断面が下側に連続又は段階的に湾曲している湾曲型傾斜ウェッジワイヤスクリーン上に投入して、前記混合物中の前記重液を前記湾曲型傾斜ウェッジワイヤスクリーンの下方に通過させ、前記混合物中の前記裁断細線類は前記重液と重力で加速して前記湾曲型傾斜ウェッジワイヤスクリーンの表面を通過させて、前記裁断細線類を分離する。
【０００７】
請求項２記載のシュレッダーダストの処理方法は、請求項１記載のシュレッダーダストの処理方法において、前記ウェッジワイヤの間隔は、１〜３ｍｍであり、前記湾曲型傾斜ウェッジワイヤスクリーンの上端部傾斜角度が７０〜８５度、下端部傾斜角度が４０〜５５度の範囲にある。
【０００８】
ウェッジワイヤの間隔が１ｍｍ未満では、湾曲型傾斜ウェッジワイヤスクリーンの単位面積当たりの重液の通過量が少なくなって、重液を除去するのに長い湾曲型傾斜ウェッジワイヤスクリーンが必要になり好ましくない。一方、ウェッジワイヤの間隔が３ｍｍを超えると、混合物が移動する際に裁断細線類がウェッジワイヤ間を通過し易くなるため好ましくない。このため、ウェッジワイヤの間隔を１〜３ｍｍとした。また、湾曲型傾斜ウェッジワイヤスクリーンの上端部傾斜角度を７０〜８５度とすることで、重液の流れと重力により受け入れた混合物を湾曲型傾斜ウェッジワイヤスクリーン上で容易に下流側に向けて移動させることができる。そして、湾曲型傾斜ウェッジワイヤスクリーンの下端部傾斜角度を４０〜５５度とすることで、湾曲型傾斜ウェッジワイヤスクリーンの下流側に到達した裁断細線類を下端部から下方に放出することができる。
【０００９】
前記目的に沿う請求項３記載のシュレッダーダストの処理装置は、比重が１を超える重液とシュレッダーダストから発生する裁断細線類との混合物から該裁断細線類と前記重液を分離するシュレッダーダストの処理装置であって、
前記混合物の貯留部と、
前記貯留部から徐々に供給される前記混合物を受け、先部が下向きに縮幅しているウェッジワイヤからなる複数の横線が小間隔で縦断面が下側に連続又は段階的に湾曲した状態で平行に並べられ、かつ、下流側の前記ウェッジワイヤの上平坦面の傾斜角度の正接が前記裁断細線類と前記ウェッジワイヤの上平坦面との濡れ摩擦係数より大きくなっている湾曲型傾斜ウェッジワイヤスクリーンと、
前記湾曲型傾斜ウェッジワイヤスクリーンを通って落下する重液を収容する重液受け容器と、
前記湾曲型傾斜ウェッジワイヤスクリーンの下流側端から排出される前記裁断細線類を収容する裁断細線受け容器とを有する。
【００１０】
請求項４記載のシュレッダーダストの処理装置は、請求項３記載のシュレッダーダストの処理装置において、隣り合う前記横線の間隔は１〜３ｍｍの範囲にある。
【００１１】
前記目的に沿う請求項５記載のシュレッダーダストの処理方法は、水とシュレッダーダストとの混合物を、先部が下向きに縮幅している複数のウェッジワイヤが縦向きに小間隔で平行配置された傾斜ウェッジワイヤスクリーン上に投入して、前記シュレッダーダストに付着している繊維屑及び土砂を水洗して、前記ウェッジワイヤの隙間から下方に落下させ、水洗された前記シュレッダーダストを前記傾斜ウェッジワイヤスクリーンの下流側端から落下させて、前記シュレッダーダストから付着している前記繊維屑及び土砂を分離する。
【００１２】
前記目的に沿う請求項６記載のシュレッダーダストの処理装置は、注水された大量の水とシュレッダーダストとの混合物から該シュレッダーダストより発生する繊維屑及び土砂を水と共に分離するシュレッダーダストの処理装置であって、
先部が下向きに縮幅している複数の長尺のウェッジワイヤが縦向きに小間隔で平行配置された傾斜ウェッジワイヤスクリーンと、
前記傾斜ウェッジワイヤスクリーンの底部に配置され該傾斜ウェッジワイヤスクリーンを通って水と共に落下する前記繊維屑及び土砂を収容する受け入れ容器と、
前記傾斜ウェッジワイヤスクリーンの下流側にあって水洗された前記シュレッダーダストを収納するシュレッダーダスト容器とを有する。
【００１３】
請求項７記載のシュレッダーダストの処理装置は、請求項６記載のシュレッダーダストの処理装置において、前記ウェッジワイヤの隙間は１〜３ｍｍ、前記傾斜ウェッジワイヤスクリーンの傾斜角は４０〜７０度、前記傾斜ウェッジワイヤスクリーンの長さは２．５〜４ｍの範囲にある。
【００１４】
ウェッジワイヤの間隔が１ｍｍ未満では、傾斜ウェッジワイヤスクリーンの単位面積当たりの水の通過量が少なくなって、水を除去するのに長い傾斜ウェッジワイヤスクリーンが必要になり好ましくない。一方、ウェッジワイヤの間隔が３ｍｍを超えると、シュレッダーダストの突出部がウェッジワイヤの隙間に進入するようになって、傾斜ウェッジワイヤスクリーン上でのシュレッダーダストの円滑な移動が妨げられるようになって好ましくない。傾斜ウェッジワイヤスクリーンの傾斜角が４０度未満では傾斜ウェッジワイヤスクリーン上でのシュレッダーダストの円滑な移動が妨げられるようになって好ましくない。また、傾斜ウェッジワイヤスクリーンの傾斜角が７０度を超えると水を通過させて落下させる作用に寄与する傾斜ウェッジワイヤスクリーンの有効面積が低下するので好ましくない。更に、傾斜ウェッジワイヤスクリーンの長さを２．５〜４ｍとすることで、混合物が傾斜ウェッジワイヤスクリーン上を移動してシュレッダーダストに付着している繊維屑及び土砂を水で十分に洗い流して分離するのに必要な時間を確保することができる。
【発明の効果】
【００１５】
請求項１、２に記載のシュレッダーダストの処理方法と、請求項３、４に記載のシュレッダーダストの処理装置においては、混合物中の裁断細線類を重液で押し流しながら湾曲型傾斜ウェッジワイヤスクリーン上を移動させると共に、重液を湾曲型傾斜ウェッジワイヤスクリーンの下方に通過させて、湾曲型傾斜ウェッジワイヤスクリーンの下流側端から裁断細線類を排出させることができるので、裁断細線類と重液を効率的に分離すると共に裁断細線類を容易に回収することが可能になる。
【００１６】
特に、請求項２に記載のシュレッダーダストの処理方法は、ウェッジワイヤの間隔が１〜３ｍｍであり、湾曲型傾斜ウェッジワイヤスクリーンの上端部傾斜角度が７０〜８５度、下端部傾斜角度が４０〜５５度の範囲にあるので、裁断細線類が湾曲型傾斜ウェッジワイヤスクリーンを下方に通過するのを防止して下流側に移動させることができ、混合物から裁断細線類を確実に分離して回収することが可能になる。
【００１７】
請求項５に記載のシュレッダーダストの処理方法と、請求項６、７に記載のシュレッダーダストの処理装置においては、シュレッダーダストに付着している繊維屑及び土砂を水洗して、ウェッジワイヤの隙間から下方に落下させるので、繊維屑が傾斜ウェッジワイヤスクリーンに捕捉されることがなく、シュレッダーダストに付着している繊維屑及び土砂を効率的に分離して、水洗されたシュレッダーダストを傾斜ウェッジワイヤスクリーンの下流側端から回収することが可能になる。
【００１８】
特に、請求項７に記載のシュレッダーダストの処理装置は、ウェッジワイヤの隙間が１〜３ｍｍ、傾斜ウェッジワイヤスクリーンの傾斜角が４０〜７０度、傾斜ウェッジワイヤスクリーンの長さが２．５〜４ｍの範囲にあるので、傾斜ウェッジワイヤスクリーン上でシュレッダーダストを円滑に移動させながら付着している繊維屑及び土砂を確実に水洗して水と共に傾斜ウェッジワイヤスクリーンを下方に通過（落下）させることができ、十分に水洗されて水切りされたシュレッダーダストを傾斜ウェッジワイヤスクリーンの下流側端から排出させることが可能になる。
【発明を実施するための最良の形態】
【００１９】
続いて、添付した図面を参照しつつ、本発明を具体化した実施の形態につき説明し、本発明の理解に供する。
ここで、図１は本発明の第１の実施の形態に係るシュレッダーダストの処理方法を適用したシュレッダーダストの処理装置の一部切り欠き側面図、図２は同処理装置の正面図、図３（Ａ）、（Ｂ）はそれぞれ同処理装置の湾曲型傾斜ウェッジワイヤスクリーンの部分側面図、部分平面図、図４は本発明の第２の実施の形態に係るュレッダーダストの処理方法を適用したシュレッダーダストの処理装置の側面図、図５（Ａ）は同処理装置の傾斜ウェッジワイヤスクリーンの部分側面図、（Ｂ）は（Ａ）のＰ−Ｐ矢視断面図、（Ｃ）は同処理装置の傾斜ウェッジワイヤスクリーンの部分正面図である。
【００２０】
図１、図２に示すように、本発明の第１の実施の形態に係るシュレッダーダストの処理方法を適用したシュレッダーダストの処理装置１０は、比重が１を超える重液とシュレッダーダストから発生する裁断細線類との混合物の貯留部１１と、貯留部１１から徐々に供給される混合物を受ける湾曲型傾斜ウェッジワイヤスクリーン１２と、湾曲型傾斜ウェッジワイヤスクリーン１２を通って落下する重液を収容する重液受け容器１３と、湾曲型傾斜ウェッジワイヤスクリーン１２の下流端部から排出される裁断細線類を収容する裁断細線受け容器１４とを有している。以下、これらについて詳細に説明する。
【００２１】
貯留部１１は、前後左右に脚部材１５が設けられた架台１６の上部梁部材１７に取付けられ上部に混合物の受け入れ口１８が形成された収容容器１９と、収容容器１９の前側に取付けられ先端の開口部にフランジ２０が取付けられた筒体２１と、フランジ２０に取付けられる蓋部材２２を有している。なお、蓋部材２２の上面には１対の把手２３が設けられている。更に、貯留部１１は、収容容器１９の底面の前側に取付けられ先側が下方に突出する排出口２４を有している。このような構成とすることにより、受け入れ口１８より混合物を収容容器１９内に投入することができ、投入した混合物を排出口２４から下方に排出することができる。また、収容容器１９内の清掃や混合物の排出状況の確認を蓋部材２２を取り外して筒体２１の開口部より行うことができる。
【００２２】
湾曲型傾斜ウェッジワイヤスクリーン１２は、排出口２４の直下に傾斜して設けられ、湾曲型傾斜ウェッジワイヤスクリーン１２の両側は、支持板部材２５に取付けられ、支持板部材２５はそれぞれ緩衝部材２６（例えば、防振ゴム）を介して架台１６の下部梁部材２７と上部梁部材１７の間に固定された側カバー部材２８に取付けられている。ここで、湾曲型傾斜ウェッジワイヤスクリーン１２は、図３に示すように、縦断面が下側に連続的に湾曲し先部が下向きに縮幅しているウェッジワイヤからなる複数の横線２９が小間隔Ｗ（例えば、隣り合う横線２９の隙間が１〜３ｍｍ）で平行配置され、縦方向に配設された支持部材３０で支持されて構成されている。そして、湾曲型傾斜ウェッジワイヤスクリーン１２の下流側の横線２９の上平坦面の傾斜角度の正接が裁断細線類と横線２９の上平坦面との濡れ摩擦係数より大きくなっており、例えば、湾曲型傾斜ウェッジワイヤスクリーン１２の上端部傾斜角度αが７０〜８５度、下端部傾斜角度βが４０〜５５度の範囲にある。
更に、湾曲型傾斜ウェッジワイヤスクリーン１２は、その下流側端に一様連続的に繋がり、両側に側壁３８が形成されている排出シュート３９が設けられている。ここで、排出シュート３９の傾斜角度は、湾曲型傾斜ウェッジワイヤスクリーン１２の下端部の傾斜角度βと実質的に同一角度としている。
【００２３】
このような構成とすることにより、湾曲型傾斜ウェッジワイヤスクリーン１２上に投入された混合物は、混合物中の重液を湾曲型傾斜ウェッジワイヤスクリーン１２の下方に通過させながら、混合物中の裁断細線類を重液の流れと重力の作用で加速して湾曲型傾斜ウェッジワイヤスクリーン１２の表面を下流側に向けて移動させて裁断細線類を分離することができる。そして、排出シュート３９には重液の付着の少ない裁断細線類が到達し、排出シュート３９に排出された裁断細線類は排出シュート３９内を滑落して行き、排出シュート３９の下端直下に上部に開口部が形成された裁断細線受け容器１４を配置することにより、重液の付着量の少ない裁断細線類を回収することができる。
【００２４】
重液受け容器１３は、湾曲型傾斜ウェッジワイヤスクリーン１２の下方に取付けられ下部に開口部が形成された飛散防止部４０と、飛散防止部４０の下端部に取付けられたシュート部４１と、シュート部４１の下部に接続する回収缶４２を有している。これによって、湾曲型傾斜ウェッジワイヤスクリーン１２を下方に通過して落下した重液を集めて回収缶４２内に溜めることができる。
【００２５】
次に、本発明の第１の実施の形態に係るシュレッダーダストの処理方法について説明する。
先ず、排出シュート３９の下端直下に裁断細線受け容器１４を配置する。そして、重液とシュレッダーダストから発生する裁断細線類との混合物を貯留部１１の受け入れ口１８から投入する。投入された混合物は収容容器１９内に一旦貯留されてから下部の排出口２４から下方に流れ出て、湾曲型傾斜ウェッジワイヤスクリーン１２の上流側に落下する。
【００２６】
湾曲型傾斜ウェッジワイヤスクリーン１２の上流側の傾斜角度の正接は、裁断細線類と横線２９の上平坦面との間の濡れ摩擦係数より大きいので、裁断細線類は重液の流れに押し流されると共に重力により湾曲型傾斜ウェッジワイヤスクリーン１２の下流側に向けて加速されて湾曲型傾斜ウェッジワイヤスクリーン１２の表面上を下方に移動できる。そして、湾曲型傾斜ウェッジワイヤスクリーン１２の横線２９の間隔は１〜３ｍｍであるため、混合物中の重液は湾曲型傾斜ウェッジワイヤスクリーン１２の横線２９の隙間を容易に通過することができ、落下する。従って、裁断細線類の移動と共に重液は徐々に減少し、裁断細線類が分離される。
【００２７】
ここで、横線２９は先部が下向きに縮幅しているウェッジワイヤなので、湾曲型傾斜ウェッジワイヤスクリーン１２の下面での横線２９の間隔は上面での横線２９の間隔より大きくなり、湾曲型傾斜ウェッジワイヤスクリーン１２を通過した重液は湾曲型傾斜ウェッジワイヤスクリーン１２の下面側に付着しずらくなっている。このため、湾曲型傾斜ウェッジワイヤスクリーン１２の下面での重液切れは向上し、湾曲型傾斜ウェッジワイヤスクリーン１２から排出シュート３９には、重液の付着量の少ない裁断細線類が到達する。
【００２８】
そして、排出シュート３９の傾斜角度は、湾曲型傾斜ウェッジワイヤスクリーン１２の下端部傾斜角度βと実質的に同一角度なので、排出シュート３９に排出された裁断細線類は摩擦力に打ち勝って排出シュート３９内を滑落して行き、排出シュート３９の下端直下に配置された裁断細線受け容器１４内に収容される。一方、湾曲型傾斜ウェッジワイヤスクリーン１２を通過した重液は、重液受け容器１３の飛散防止部４０内を落下してシュート部４１で受けられ、シュート部４１の側面を伝わって回収缶４２内に流入して回収される。これによって、混合物から裁断細線類と重液を分離することができる。
【００２９】
図４に示すように、本発明の第２の実施の形態に係るシュレッダーダストの処理方法を適用したシュレッダーダストの処理装置４３は、注水された大量の水とシュレッダーダストとの混合物の投入部４４と、投入された混合物を受け入れる傾斜ウェッジワイヤスクリーン４５と、傾斜ウェッジワイヤスクリーン４５の底部に配置され傾斜ウェッジワイヤスクリーン４５を通って水と共に下方に落下する繊維屑及び土砂を収容する受け入れ容器４６と、傾斜ウェッジワイヤスクリーン４５の下流側にあって水洗されたシュレッダーダストを収納するシュレッダーダスト容器４７とを有している。以下、これらについて詳細に説明する。
【００３０】
図５（Ａ）、（Ｂ）、（Ｃ）に示すように、傾斜ウェッジワイヤスクリーン４５は、先部が下向きに縮幅している長尺（例えば、２．５〜４ｍ）のウェッジワイヤからなる複数の縦線４８が小間隔（例えば、隣り合う縦線４８の隙間が１〜３ｍｍ）で平行に並べられて横方向に配設された支持部材４９で支持されて構成され、水平方向に対して下方に４０〜７０度の範囲で傾斜して配置されている。そして、傾斜ウェッジワイヤスクリーン４５の両側は、前後左右に脚部材５０が設けられた架台５１の上部で傾斜ウェッジワイヤスクリーン４５の傾斜角度と実質的に同一の傾斜角度で配置された対となる上部傾斜梁部材５２に取付けられた筒状の収容容器５３の両側の側壁部材５４に取付けられている。なお、収容容器５３の上部傾斜梁部材５２への取付けは、側壁部材５４の幅方向の中央部に外側に突出して設けられた取付け部材５５を上部傾斜梁部材５２の上面部に載せて固定することにより行われている。
ここで、符号５６は左右の脚部材５０間を連結する連結横梁部材、符号５７は上部傾斜梁部材５２を支持する補助支持梁、符号５８は脚部材５０と連結横梁部材５６の連結力を補強する脚補強板部材、符号５９は脚部材５０と上部傾斜梁部材５２の連結力を補強する梁補強板部材である。
【００３１】
シュレッダーダスト容器４７は、傾斜ウェッジワイヤスクリーン４５の下流側端に傾斜ウェッジワイヤスクリーン４５の傾斜角度よりも大きな傾斜角度を以て連接する排出シュート６０を備えている。そして、排出シュート６０の両側は排出シュート６０の外側を覆うシュートカバー６１の側壁部材６２の内面に固定され、シュートカバー６１は収容容器５３の下端部に連結している。なお、シュートカバー６１の各側壁部材６２の幅方向の中央部には補強部材６３が外側に突出して形成され、収容容器５３の取付け部材５５の下端部に補強部材６３を連結させることにより、シュートカバー６１と収容容器５３との連結力の向上が図られている。
【００３２】
このような構成とすることにより、傾斜ウェッジワイヤスクリーン４５の上流側に混合物を投入すると、混合物中のシュレッダーダストは水に押し流されて傾斜ウェッジワイヤスクリーン４５の表面を下流側に向かって移動し、このとき、シュレッダーダストに付着している繊維屑及び土砂は水洗されて縦線（ウェッジワイヤ）４８の隙間から下方に落下する。従って、シュレッダーダストは傾斜ウェッジワイヤスクリーン４５上を下流側に向かって移動しながら付着している繊維屑及び土砂が水洗され、繊維屑及び土砂を含んだ水はシュレッダーダストの周囲から徐々に減少し、傾斜ウェッジワイヤスクリーン４５の下流側端からは繊維屑及び土砂の付着していないシュレッダーダストが排出シュート６０に排出される。なお、傾斜ウェッジワイヤスクリーン４５の下面での縦線４８の間隔は上面での縦線４８の間隔より大きくなるので、傾斜ウェッジワイヤスクリーン４５を通過した水、繊維屑、及び土砂が傾斜ウェッジワイヤスクリーン４５の下面側に付着しずらくなっている。
【００３３】
投入部４４は、収容容器５３の上端部に設けられた開口部に取付けられた蓋部材６４と、蓋部材６４の中央部に取付けられた筒体６５と、筒体６５の先部に設けられ先部にフランジ６６を備えた受け入れ口６７を有している。これによって、受け入れ口６７より混合物を収容容器５３内に投入することができ、投入した混合物を傾斜ウェッジワイヤスクリーン４５の上流側に投入することができる。
また、受け入れ容器４６は、収容容器５３の下部に一体的に取付けられ下部に開口部が形成された飛散防止部６８と、飛散防止部６８の下端部に取付けられたシュート部６９と、シュート部６９の下方に配置される回収缶７０を有している。これによって、傾斜ウェッジワイヤスクリーン４５を通過した水、繊維屑、及び土砂を集めて回収缶７０内に溜めることができる。
更に、シュレッダーダスト受け容器４７は、シュートカバー６１の先部に取付けられた誘導カバー７１と、誘導カバー７１の下方に配置されたダスト回収缶７２を有している。これによって、排出シュート６０から排出されるシュレッダーダストの飛散を防止してシュレッダーダストをダスト回収缶７２で回収することができる。
【００３４】
次に、本発明の第２の実施の形態に係るシュレッダーダストの処理方法について説明する。
先ず、シュレッダーダスト容器４７の誘導カバー７１の下方にダスト回収缶７２を配置する。そして、例えば、自動車を破砕したシュレッダーダストを水選別装置で処理して、水に浮いて選別されたシュレッダーダストを水と共に回収し、投入部４４の受け入れ口６７から投入する。投入された混合物は、傾斜ウェッジワイヤスクリーン４５の上流側に落下する。そして、混合物中のシュレッダーダストは水に押し流されて傾斜ウェッジワイヤスクリーン４５の表面を下流側に向かって移動し、このとき、シュレッダーダストに付着している繊維屑及び土砂は水洗されて、水と共に縦線４８の隙間から下方に落下する。このように、シュレッダーダストが傾斜ウェッジワイヤスクリーン４５上を下流側に向かって移動するのに伴って、シュレッダーダストの表面に付着している繊維屑及び土砂は徐々に水洗され、水と共にシュレッダーダストの周囲から減少していく。
【００３５】
このため、シュレッダーダストは、表面に付着している繊維屑及び土砂は除去され、しかも水切りがなされた状態で、傾斜ウェッジワイヤスクリーン４５の下流側に到達し、傾斜ウェッジワイヤスクリーン４５の下流側端から排出シュート６０に排出される。なお、傾斜ウェッジワイヤスクリーン４５の下面での縦線４８の間隔は上面での縦線４８の間隔より大きくなるので、傾斜ウェッジワイヤスクリーン４５を通過した水、繊維屑、及び土砂が傾斜ウェッジワイヤスクリーン４５の下面側に付着しずらくなっており、傾斜ウェッジワイヤスクリーン４５を用いて安定してシュレッダーダストの水洗と水切りを行うことができる。そして、排出シュート６０に排出されたシュレッダーダストは誘導カバー７１に誘導されてダスト回収缶７２内に集積される。一方、傾斜ウェッジワイヤスクリーン４５を通過した水、繊維屑、及び土砂は、受け入れ容器４６の飛散防止部６８内を落下してシュート部６９で受けられ、シュート部６９の側面を伝わって回収缶７０内に流入して回収される。これによって、水、繊維屑、及び土砂と、シュレッダーダストとを分離することができる。
【００３６】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明のシュレッダーダストの処理方法及びその装置を構成する場合も本発明の権利範囲に含まれる。
例えば、第１の実施の形態では、湾曲型傾斜ウェッジワイヤスクリーンをその縦断面が下側に連続的に湾曲した構造としたが、下側に段階的に湾曲する、すなわち、下流側に向かう程傾斜角度が徐々に小さくなるウェッジワイヤスクリーンを多段に組み合わせた構成、例えば、上流側を傾斜角度が７０度以上で８５度以下のウェッジワイヤスクリーンで、中央部を傾斜角度が５５度以上で７０度未満のウェッジワイヤスクリーンで、下流側を傾斜角度が４０度以上で５５度未満のウェッジワイヤスクリーンで構成することもできる。これによって、湾曲型傾斜ウェッジワイヤスクリーンの作製が容易かつ低コストとなる。
【図面の簡単な説明】
【００３７】
【図１】本発明の第１の実施の形態に係るシュレッダーダストの処理方法を適用したシュレッダーダストの処理装置の一部切り欠き側面図である。
【図２】同処理装置の正面図である。
【図３】（Ａ）、（Ｂ）はそれぞれ同処理装置のウェッジワイヤスクリーンの部分側面図、部分平面図である。
【図４】本発明の第２の実施の形態に係るュレッダーダストの処理方法を適用したシュレッダーダストの処理装置の側面図である。
【図５】（Ａ）は同処理装置のウェッジワイヤスクリーンの部分側面図、（Ｂ）は（Ａ）のＰ−Ｐ矢視断面図、（Ｃ）は同処理装置のウェッジワイヤスクリーンの部分正面図である。
【符号の説明】
【００３８】
１０：シュレッダーダストの処理装置、１１：貯留部、１２：湾曲型傾斜ウェッジワイヤスクリーン、１３：重液受け容器、１４：裁断細線受け容器、１５：脚部材、１６：架台、１７：上部梁部材、１８：受け入れ口、１９：収容容器、２０：フランジ、２１：筒体、２２：蓋部材、２３：把手、２４：排出口、２５：支持板部材、２６：緩衝部材、２７：下部梁部材、２８：側カバー部材、２９：横線、３０：支持部材、３８：側壁、３９：排出シュート、４０：飛散防止部、４１：シュート部、４２：回収缶、４３：シュレッダーダストの処理装置、４４：投入部、４５：傾斜ウェッジワイヤスクリーン、４６：受け入れ容器、４７：シュレッダーダスト容器、４８：縦線、４９：支持部材、５０：脚部材、５１：架台、５２：上部傾斜梁部材、５３：収容容器、５４：側壁部材、５５：取付け部材、５６：連結横梁部材、５７：補助支持梁、５８：脚補強板部材、５９：梁補強板部材、６０：排出シュート、６１：シュートカバー、６２：側壁部材、６３：補強部材、６４：蓋部材、６５：筒体、６６：フランジ、６７：受け入れ口、６８：飛散防止部、６９：シュート部、７０：回収缶、７１：誘導カバー、７２：ダスト回収缶
【図１】
2006205041.tif 000003
【図２】
2006205041.tif 000004
【図３】
2006205041.tif 000005
【図４】
2006205041.tif 000006
【図５】
2006205041.tif 000007